(57)【要約】【課題】段差のない訓練通路が確保でき、伸縮する支柱に同調機構を採用しても邪魔にならない平行棒を提供する。【解決手段】ベース２を、平面視で水平棒４，４間に形成される訓練通路７を迂回する略Ｕ字状に形成する一方、支柱３を、ベース２上に立設されるシリンダパイプ８と、そのシリンダパイプ８に外装されるシリンダロッド９と、シリンダロッド９の上端で回転可能に保持されてシリンダパイプ８の軸心に収容され、シリンダパイプ８の固定リング１１と螺合するネジロッドとから形成して、ネジロッドの回転によるネジ送りで水平棒４を昇降可能とすると共に、各水平棒４内に、ネジロッド上端に連結されるプーリ１４と、プーリ１４，１４間に張設されるベルト１５とからなる同調機構を収容した。【選択図】図１
2008272247.tif 000002
【特許請求の範囲】
【請求項１】
所定間隔をおいて配置される一対のベース上に、所定間隔をおいて一対の支柱を夫々立設し、前記ベース間で対向する前記支柱の上端間に夫々水平棒を平行に架設してなる歩行訓練用平行棒であって、
前記ベースを、平面視で前記水平棒間に形成される訓練通路を迂回する略Ｕ字状又は略コ字状に形成する一方、
前記支柱を、前記ベース上に立設される支持パイプと、その支持パイプの軸心に収容されて前記支持パイプ側と螺合し、上端に前記水平棒が連結されるネジロッドとから形成して、前記ネジロッドの回転による上下方向へのネジ送りで前記水平棒を昇降可能とすると共に、前記各水平棒内に、当該水平棒を支持する一対のネジロッドを連係させて同調回転させる同調機構を収容したことを特徴とする歩行訓練用平行棒。
【請求項２】
同調機構は、水平棒内に突出する一対のネジロッド間へ互いの回転が伝達可能に架設される無端状体を含むことを特徴とする請求項１に記載の歩行訓練用平行棒。
【請求項３】
ネジロッドの下端に、前記ネジロッドの最下限のネジ送り位置でベースの下面から突出するキャスタを設けたことを特徴とする請求項１又は２に記載の歩行訓練用平行棒。
【請求項４】
ネジロッドを回転させる電気的駆動手段を設けたことを特徴とする請求項１乃至３の何れかに記載の歩行訓練用平行棒。
【発明の詳細な説明】
【技術分野】
【０００１】
本発明は、歩行能力が低下した人が歩行訓練を行うために使用する歩行訓練用平行棒に関する。
【背景技術】
【０００２】
病院や介護施設等には、事故や加齢等によって歩行能力が低下した人が歩行訓練を行うための歩行訓練用平行棒（以下、本明細書では単に「平行棒」という。）が設置される。図６は、従来の平行棒を示すもので、平行棒２０は、所定間隔をおいて配置される一対のベース２１，２１上に、所定間隔をおいて一対の支柱２２，２２を夫々立設し、この支柱２２，２２の上端間に夫々一対の水平棒２３，２３を平行に支持させた形態がよく知られている。特にここでは、支柱２２が、ベース２１上に固定される外筒２４と、その外筒２４内で上下動可能に収容され、上端に水平棒を固定するロッド２５とからなるシリンダ構造となっており、例えば特許文献１に示すように、外筒２４の底部とロッド２５との間に設けたブレーキ付ガススプリングによってロッド２５が任意の上下高さで固定可能となると共に、各水平棒２３における長手方向前後の水平棒２３とロッド２５との間を、外筒２４に設けたプーリ２６，２６を介してワイヤ２７，２７で連結することで、各支柱２２の伸縮の同調を図るようにしている。すなわち、水平棒２３の高さを水平姿勢を維持しつつ調整可能としたものである。
【０００３】
【特許文献１】特開平９−４７４７８号公報
【発明の開示】
【発明が解決しようとする課題】
【０００４】
しかし、このような平行棒２０においては、水平棒２３の長手方向の前後下側でベース２１，２１が直交状に横切る格好となるため、水平棒２３間の訓練通路内に段差が生じて訓練者の邪魔になり、ベース２１に躓いたり、ベース２１の厚みによっては歩行できなかったりするおそれがある。また、ワイヤ２７が各水平棒２３の下方で支柱２２，２２間に架設されるため、水平棒２３の下方空間に余計な構成部が露出し、訓練者には勿論、平行棒２０の外側から理学療法士等がサポートする際の邪魔になったりして訓練に支障が生じてしまう。
【０００５】
そこで、本発明は、段差のない訓練通路が確保できる上、伸縮する支柱間に同調機構を採用しても介護者等の邪魔にならない平行棒を提供することを目的としたものである。
【課題を解決するための手段】
【０００６】
上記目的を達成するために、請求項１に記載の発明は、ベースを、平面視で水平棒間に形成される訓練通路を迂回する略Ｕ字状又は略コ字状に形成する一方、支柱を、ベース上に立設される支持パイプと、その支持パイプの軸心に収容されて支持パイプ側と螺合し、上端に水平棒が連結されるネジロッドとから形成して、ネジロッドの回転による上下方向へのネジ送りで水平棒を昇降可能とすると共に、各水平棒内に、当該水平棒を支持する一対のネジロッドを連係させて同調回転させる同調機構を収容したことを特徴とするものである。
請求項２に記載の発明は、請求項１の目的に加えて、狭い水平棒内でも支障なく採用できるコンパクトな同調機構とするために、同調機構を、水平棒内に突出する一対のネジロッド間へ互いの回転が伝達可能に架設される無端状体を含むことを特徴とするものである。
請求項３に記載の発明は、請求項１又は２の目的に加えて、移動や収納に至便とするために、ネジロッドの下端に、ネジロッドの最下限のネジ送り位置でベースの下面から突出するキャスタを設けたことを特徴とするものである。
請求項４に記載の発明は、請求項１乃至３の何れかの目的に加えて、水平棒の昇降を容易とするために、ネジロッドを回転させる電気的駆動手段を設けたことを特徴とするものである。
【発明の効果】
【０００７】
請求項１に記載の発明によれば、ベースの形状によって段差のない訓練通路が確保できると共に、同調機構が水平棒内に収容されて外部に現れないので同調機構が理学療法士等の邪魔になることもない。よって、歩行訓練が支障なく行える。
請求項２に記載の発明によれば、請求項１の効果に加えて、狭い水平棒内でも支障なく採用できるコンパクトな同調機構が得られる。勿論水平棒が大径化することもない。
請求項３に記載の発明によれば、請求項１又は２の効果に加えて、キャスタによって平行棒の移動が容易に行える。特に、キャスタが突出した状態で水平棒を互いに逆側の長手方向へ水平移動させると、幅方向で平行棒を折り畳むことができるため、全体がコンパクトとなって移動や収納に至便となる。
請求項４に記載の発明によれば、請求項１乃至３の何れかの効果に加えて、電気的駆動手段の採用によって水平棒の昇降が容易となる。
【発明を実施するための最良の形態】
【０００８】
以下、本発明の実施の形態を図面に基づいて説明する。
図１は、平行棒の一例を示す平面図、図２はその正面図、図３はその右側面図で、平行棒１は、所定間隔をおいて配置される一対のベース２，２と、各ベース２上で所定間隔をおいて立設される一対の支柱３，３と、ベース２，２間で対向する支柱３，３の上端間に夫々架設される一対の平行な水平棒４，４とから構成される。
各ベース２は、所定の肉厚を有する板体で、端部に支柱３が立設されて水平棒４の長手方向へ伸びる一対の直線状の外端部５，５と、その外端部５，５間を平面視で水平棒４，４の外側を迂回するように接続する円弧状の迂回部６とからなる平面略Ｕ字状を呈して、Ｕ字の開放側が対向するように配置されている。これにより、水平棒４，４間に形成される訓練通路７内にベース２が突出することがなくなり、フラットな訓練通路７を形成可能となっている。
【０００９】
一方、支柱３は、図４にも示すように、ベース２上に立設される支持パイプとしての筒状のシリンダパイプ８と、そのシリンダパイプ８へ昇降可能に外装されたシリンダロッド９とを備えたシリンダ型で、シリンダロッド９の上端に設けた湾曲状の支持板１０上に水平棒４が載置されている。
また、シリンダパイプ８の内部上方には、内周に雌ネジを形成した固定リング１１が固着され、シリンダパイプ８の軸心に収容されたネジロッド１２が、固定リング１１に螺合して、シリンダロッド９の上端でボールベアリング１３によって回転可能に保持されている。このネジロッド１２の上端は、支持板１０を貫通して水平棒４内に突出している。よって、ネジロッド１２が回転すると、固定リング１１に対して上下方向にネジ送りされ、連結されるシリンダロッド９及び水平棒４と共に昇降して支柱３を伸縮させることになる。
【００１０】
水平棒４は、内部が中空のパイプとなっており、各水平棒４内に突出するネジロッド１２，１２の上端には、プーリ１４が夫々一体に連結され、同じ水平棒４内の長手方向前後のプーリ１４，１４間には、無端状体となるベルト１５が張設されて、ネジロッド１２，１２を同調して回転させる同調機構を形成している。また、一方のプーリ１４には、回転ハンドル１６が着脱可能となっている。この回転ハンドル１６は、下端中心に設けたキー付き軸１６ａを、水平棒４の上方に設けた図示しない透孔を介してプーリ１４の軸心に設けたキー孔に差し込むことで、プーリ１４と連結されるものである。
１７は、各ネジロッド１２の下端で転動可能に保持されたボールキャスタで、ネジロッド１２が最下限のネジ送り位置にある場合は、図４のようにベース２の下面より下方に突出するようになっている。よって、４箇所の支柱３の全てにおいてボールキャスタ１７を突出させれば、平行棒１の全体が床面Ｆ．Ｌから浮き上がって水平移動可能となる。
【００１１】
以上の如く構成された平行棒１においては、ベース２，２の形状によって訓練通路７内はフラットとなるため、水平棒４，４間で歩行訓練を行う場合、訓練者が躓いたりするおそれがない。
そして、水平棒４の高さを調整する場合は、長手方向の一方のプーリ１４に回転ハンドル１６を装着してプーリ１４を回転操作すれば、ネジロッド１２が回転してシリンダロッド９及び水平棒４と共に昇降する。このプーリ１４の回転に伴い、ベルト１５を介して他方のプーリ１４及びネジロッド１２も同調して回転するため、長手方向の前後のネジロッド１２，１２及びシリンダロッド９，９は同調して昇降する。よって、水平棒４は水平状態を保ったまま昇降することになる。高さ調整が終了すれば回転ハンドル１６を取り外せばよい。
【００１２】
一方、平行棒１を移動させたい場合は、前述のように回転ハンドル１６によって全てのネジロッド１２を最下限までネジ送りすれば、図５に示すようにボールキャスタ１７がベース２の下面に突出して平行棒１全体を床面Ｆ．Ｌから浮き上がらせるため、そのまま床面上を任意の位置へ水平移動させることができる。
また、シリンダパイプ８とシリンダロッド９とは互いに相対回転可能であるため、ボールキャスタ１７が突出した状態で左右の水平棒４，４を長手方向で互いに逆側へ水平移動させると、平面視で４つの支柱３を頂点とする四角形が傾いて平行四辺形となり、水平棒４，４が互いに接近して幅方向で平行棒１を折り畳むことができる。
【００１３】
このように、上記形態の平行棒１によれば、ベース２を、平面視で水平棒４，４間に形成される訓練通路７を迂回する略Ｕ字状に形成する一方、支柱３を、ベース２上に立設されるシリンダパイプ８と、そのシリンダパイプ８の軸心に収容されてシリンダパイプ８側と螺合し、上端に水平棒４が連結されるネジロッド１２とから形成して、ネジロッド１２の回転による上下方向へのネジ送りで水平棒４を昇降可能とすると共に、各水平棒４内に、当該水平棒４を支持する一対のネジロッド１２，１２を連係させて同調回転させる同調機構を収容したことで、段差のない訓練通路７が確保できると共に、同調機構が外部に現れないので同調機構が理学療法士等の邪魔になることもない。よって、歩行訓練が支障なく行える。
【００１４】
特にここでは、同調機構を、水平棒４内に突出する一対のネジロッド１２，１２に夫々一体回転可能に設けられたプーリ１４，１４と、両プーリ１４，１４間に架設されるベルト１５とから構成したことで、狭い水平棒４内でも支障なく採用できるコンパクトな同調機構が得られる。勿論水平棒４が大径化することもない。
また、ネジロッド１２の下端に、ネジロッド１２の最下限のネジ送り位置でベース２の下面から突出するボールキャスタ１７を設けたことで、平行棒の移動が容易に行える。さらに、ボールキャスタ１７が突出した状態では幅方向で平行棒１を折り畳むことができるため、全体がコンパクトとなって移動や収納に至便となる。
【００１５】
なお、本発明でいうベースの略Ｕ字状は、半楕円状や半円状、外端部が曲線となるＣ字状等も含む。また、略Ｕ字状に限らず、迂回部が直線となる略コ字状であっても段差のない訓練通路は確保可能である。
一方、支柱の構造も、上記形態のシリンダパイプとシリンダロッドとによるものに限定しない。例えばシリンダロッドを省略して支持パイプとネジロッドとで支柱を構成してもよいし、固定リングに代えて支持パイプの内周に直接雌ネジ部を形成してもよい。
さらに、同調機構も、プーリに代えてスプロケットを採用したり、ネジロッドの外周に直接歯を形成したりしてもよいし、無端状体としてはベルト以外にチェーン等も採用可能である。
加えて、キャスタは、ボールキャスタに限らず、ローラキャスタ等でも差し支えない。
【００１６】
そして、上記形態では、回転ハンドルによって手動でネジロッドを回転させて水平棒を昇降させるようにしているが、例えば支柱の下方でネジロッドとスプライン結合やキー結合されたギヤスリーブをモータによって回転させることで、ネジロッドを回転させてネジ送りする等の電気的駆動手段を用いることもできる。この場合、手動によるものに比べて水平棒の昇降が容易に行える。
【図面の簡単な説明】
【００１７】
【図１】平行棒の平面図である。
【図２】平行棒の正面図である。
【図３】平行棒の右側面図である。
【図４】支柱の説明図である。
【図５】平行棒を床面から浮かせた状態を示す説明図である。
【図６】従来の平行棒の説明図である。
【符号の説明】
【００１８】
１・・歩行訓練用平行棒、２・・ベース、３・・支柱、４・・水平棒、７・・訓練通路、８・・シリンダパイプ、９・・シリンダロッド、１１・・固定リング、１２・・ネジロッド、１４・・プーリ、１５・・ベルト、１６・・回転ハンドル、１７・・ボールキャスタ。
【図１】
2008272247.tif 000003
【図２】
2008272247.tif 000004
【図３】
2008272247.tif 000005
【図４】
2008272247.tif 000006
【図５】
2008272247.tif 000007
【図６】
2008272247.tif 000008